(57)【要約】【課題】  外部の携帯電話からのノイズ電波による誤動作をより効果的に防止する光ディスク装置とそれを搭載した携帯型情報処理装置を提供する。【解決手段】  光ディスク装置は、筐体１０と、その開口部１２を介して筐体に挿入／排出が可能なトレイ２０とを備え、トレイの一部には、光ディスクを回転駆動するディスクモータ５０と共に、光ディスクに光ビームを利用して情報の記録／再生を行なう光ピックアップ３０とを備えており、他方、筐体には、トレイに搭載された光ピックアップからの信号を処理する処理回路基板４０を備え、その一部に可撓性の配線シート１００、２００を湾曲して配置して、かつ、その湾曲部１１０、２１０に近接した位置に電磁波の吸収部材３００、４００を配置し、もって、筐体内部での電磁波の垂直方向での共振を低減する。【選択図】      図１
2005108369.tif 000002
【特許請求の範囲】
【請求項１】
一部に開口部を開口した略板状の筐体と、前記筐体の内部に収納され、かつ、前記開口部を介して挿入／排出が可能なトレイとを備え、かつ、前記トレイの一部には、その回転軸上にディスク状の光情報記録媒体を装着して回転可能なディスクモータと共に、前記ディスク状の光情報記録媒体に光ビームを利用して情報の記録又は／及び再生を行なう光ピックアップとを備えており、他方、前記筐体の一部には、前記トレイに搭載された光ピックアップからの信号を処理する信号処理部を備えた光ディスク装置において、
少なくともその一部に可撓性配線シートを湾曲して配置しており、かつ、前記可撓性配線シートの湾曲部に近接した位置に電磁波の吸収部材を配置したことを特徴とする光ディスク装置。
【請求項２】
前記請求項１に記載した光ディスク装置において、前記可撓性配線シートの湾曲部は、前記略板状の筐体の上下の面に対して略垂直方向に延びる部分を有していることを特徴とする光ディスク装置。
【請求項３】
前記請求項１又は２に記載した光ディスク装置において、前記可撓性配線シートは、前記筐体の内部に配置された前記信号処理部と、前記筐体の開口部を介して挿入／排出が可能な前記トレイとの間の配線を行なう可撓性配線シートであることを特徴とする光ディスク装置。
【請求項４】
前記請求項１又は２に記載した光ディスク装置において、前記可撓性配線シートは、前記トレイに対して移動可能に配置された光ピックアップとの間の配線を行なう可撓性配線シートであることを特徴とする光ディスク装置。
【請求項５】
前記請求項１に記載した光ディスク装置において、前記電磁波の吸収部材はシート状であり、前記湾曲部に近接した位置に張り付けられていることを特徴とする光ディスク装置。
【請求項６】
前記請求項１〜５の何れかに記載した光ディスク装置は、携帯型の情報処理装置の一部に取り付けられる装置であることを特徴とする光ディスク装置。
【請求項７】
前記請求項１〜５の何れかに記載した光ディスク装置をその内部に搭載した携帯型情報処理装置。
【発明の詳細な説明】
【技術分野】
【０００１】
本発明は、例えば、半導体レーザダイオードを利用して、ＣＤ−ＲやＣＤ−ＲＷなどの光情報記録媒体である光ディスクに、情報を記録／再生が可能な光ディスク装置に関し、更には、これを利用した携帯型の情報処理端末装置に関する。
【背景技術】
【０００２】
従来から、光ディスク装置においては、発光源としてレーザダイオードを用い、再生専用のＣＤ−ＲＯＭ等の光ディスクに加え、更には、例えば、ＣＤ−Ｒ（CD-Recordable）やＣＤ−ＲＷ(CD-ReWritable)、ＤＶＤ−ＲＡＭ（Digital Versatile Disc-Random Access Memory）などの記録可能型光ディスクに対して情報の記録と共に情報の再生を行うものとして、音楽や映像の記録／再生において広く利用されている。また、光ディスク装置は、その記録可能な情報量の増大やその処理速度の高速化に伴って、パーソナルコンピュータに代表される情報処理端末おける情報記録装置（記憶装置）としても広く利用されている。
【０００３】
また、かかる光ディスク装置では、その小型化も著しく、特に、パーソナルコンピュータの小型携帯化（例えば、ノートサイズのパーソナルコンピュータ等）の普及に伴って、かかる携帯型の情報処理端末にも搭載可能な、軽量／薄型の光ディスク装置が強く要望され、かつ、実用されている。
【０００４】
一方、上記の光ディスク装置では、その軽量／薄型化と共に、その使用形態も大きく変化しており、特に、近年におけるその急速な普及に伴って、携帯電話利用しながら携帯型のパーソナルコンピュータを操作する場合も多く見られる。すなわち、光ディスク装置は、電波を発信する機器に近接して使用されることも多くなっており、しかしながら、この携帯電話等から発信される９４０ＭＨｚや１．４４ＧＨｚの電波（電磁波）は、当該光ディスク装置にとっては妨害電波であり、これが装置内の配線に混入した場合には、例えば、リードエラーやシークエラー等の異常動作を引き起こす原因ともなる。
【０００５】
ところで、かかるディスク駆動装置においては、回路基板に対する塵埃の付着を確実に防止すると共に、電磁波ノイズに対する優れた遮蔽性を備え、かつ、静電気による帯電から防止するための防塵キャップは、以下の特許文献１により、既に知られている。
【０００６】
【特許文献１】特開平１０−１２５０５４号
【発明の開示】
【発明が解決しようとする課題】
【０００７】
上記の従来技術、すなわち、上記特許文献１に記載された防塵キャップ、すなわち、導電性を有する金属材料によって、誤動作を引き起こすデバイスを覆うものでは、しかしながら、上述したような携帯電話等から発信される９４０ＭＨｚや１．４４ＧＨｚの電波（電磁波）に対しては、十分な効果を得ることが出来ないという問題点があった。
【０００８】
ところで、本発明者等は、種々の実験によれば、特に、上述のように、携帯型の情報処理端末にも搭載可能な軽量／薄型の光ディスク装置では、その構造に起因して、以下の事実を発見したものであり、そして、本発明はこの発見に基づいて成されたものである。
【０００９】
すなわち、上述した携帯型の情報処理端末にも搭載可能な軽量／薄型の光ディスク装置では、その構造として、板状の筐体（カバー）の内部に、所謂トレイが、送り機構によりスライドしながら、筐体前面の開口部から外部へ排出され、又は、内部に挿入される構造が広く採用されている。そして、このトレイには、その回転軸に光ディスクを搭載して回転駆動するためのディスクモータと共に、回転する光ディスクに対してレーザビームにより情報の記録／再生を行なうための光ピックアップが搭載されており、他方、上記カバーの内部には、この光ピックアップからの信号を処理し、又は、その制御のための制御信号等を生成するための信号処理部を備えており、そして、これら相互にその位置が移動可能なこれらカバーとトレイとの間の配線を、可撓性を備えた配線シート（ＦＰＣ：Flexible Printed Circuit；所謂、フレキ）を利用して行なっている。また、光ピックアップは、光ディスクの半径方向に移動可能であることから、やはり、その配線には上記の可撓性を備えた配線シートが利用される。
【００１０】
ところで、光ディスク装置に入射する上記の妨害電波（電磁波）は、方向性を有している。そこで、例えば、携帯電話のような電波発生器を、上記光ディスク装置の開口部（フロントベセル）に近づけ、すなわち、光ディスク装置に対してほぼ垂直方向の電波が入射された場合には、その多くの部分は、上記光ディスク装置の外形を構成する筐体（カバー）の内面において反射されるが、しかしながら、この反射によって電磁波が消滅するものではなく、その進行方向を変えるだけである。また、光ディスク装置の筐体は、一般的に、鉄又はアルミニウム等の金属で出来ているため、入射された電波の周波数によっては筐体で反射され共振を起こし、電波強度を増幅してしまう。そして、この共振現象（ノイズ共鳴）によるノイズの混入は、上記可撓性を備えた配線シートで著しく、特に、その湾曲部において著しいことを見い出した。すなわち、この共振する電波に対しておおよそ平行になっている部分が最も影響を受け易い。これは、上記可撓性を備えた配線シートの湾曲部において、その配線の方向が、筐体（カバー）の厚み方向に、即ち、上記電波の共振と一致することに原因するためと思われる。
【００１１】
そこで、本発明では、上記の本発明者等の発見に基づいて、外部から装置の内部に入る電波、特に、携帯電話からのノイズ電波による誤動作をより効果的に防止する光ディスク装置を提供し、更には、かかる光ディスク装置を搭載した携帯用情報処理装置を提供することをその目的とする。
【課題を解決するための手段】
【００１２】
本発明によれば、上記の目的を達成するため、まず、一部に開口部を開口した略板状の筐体と、前記筐体の内部に収納され、かつ、前記開口部を介して挿入／排出が可能なトレイとを備え、かつ、前記トレイの一部には、その回転軸上にディスク状の光情報記録媒体を装着して回転可能なディスクモータと共に、前記ディスク状の光情報記録媒体に光ビームを利用して情報の記録又は／及び再生を行なう光ピックアップとを備えており、他方、前記筐体の一部には、前記トレイに搭載された光ピックアップからの信号を処理する信号処理部を備えた光ディスク装置において、少なくともその一部に可撓性配線シートを湾曲して配置しており、かつ、前記可撓性配線シートの湾曲部に近接した位置に電磁波の吸収部材を配置した光ディスク装置が提供される。
【００１３】
また、本発明によれば、前記に記載した光ディスク装置において、前記可撓性配線シートの湾曲部は、前記略板状の筐体の上下の面に対して略垂直方向に延びる部分を有しているものであり、更には、前記可撓性配線シートは、前記筐体の内部に配置された前記信号処理部と、前記筐体の開口部を介して挿入／排出が可能な前記トレイとの間の配線を行なう可撓性配線シートであり、又は、前記トレイに対して移動可能に配置された光ピックアップとの間の配線を行なう可撓性配線シートである。加えて、前記電磁波の吸収部材はシート状であり、前記湾曲部に近接した位置に張り付けられていることが好ましい。
【００１４】
また、本発明によれば、前記に記載した光ディスク装置は、携帯用の情報処理装置の一部に取り付けられる装置であってもよく、又は、前記に記載した光ディスク装置をその内部に搭載した携帯用情報処理装置であってもよい。
【発明の効果】
【００１５】
即ち、上述した本発明になる光ディスク装置によれば、外部から装置の内部に入る電波、特に、携帯電話からのノイズ電波による誤動作をより効果的に防止する光ディスク装置が提供され、更には、かかる光ディスク装置を搭載した携帯型情報処理装置を提供することが可能となるという優れた効果を発揮する。
【発明を実施するための最良の形態】
【００１６】
以下、本発明の実施の形態について、添付の図面を用いて詳細に説明する。
【００１７】
まず、添付の図１は、本発明の一実施の形態になる、光ディスク装置の全体構成を示す斜視図である。なお、この図では、その内部構造を示すため、そのトップカバーを取り外して上方から見た状態が示されている。
【００１８】
この図において、図示されないトップカバー（図３の符号１１’）と共に、略板状の形状を有する筐体の一部を構成するボトムカバー１１には、その前面（図の左側）には開口部１２が形成されており、かつ、この筐体１０の内部には、その上面に、例えば、ＣＤ等のディスク状の光情報記録媒体を装着するための部材である、所謂、トレイ２０が収納されている。なお、このトレイ２０は、ここでは図示しない送り機構によって、上記開口部１２から筐体１０の外部へ排出され、又は、その内部に挿入可能になっている。また、このトレイ２０には、図にも示すように、その上面側には、上記ＣＤを装着するための凹部２１が形成されると共に、その略中央部には、以下にも説明するディスクモータの回転軸の先端に取り付けられたターンテーブル２２が設けられている。すなわち、この光ディスク装置にＣＤ等の光ディスを装着する場合には、例えば、図示しないボタンを押す等により、このトレイ２０を上記筐体１０の外部へ引き出し、光ディスの内側に形成された円形の開口部を上記光ディスの外周に嵌め込み、その後、この上記光ディスをこのトレイ２０と共に、上記筐体１０の内部へ挿入する。
【００１９】
また、上記のトレイ２０には、上記ターンテーブル２２に装着されて高速で回転する光ディスに対してレーザビームを照射して情報をその情報記録面上に書き込み、又は、その反射光により書き込まれた情報を再生するための部材である、所謂、光ピックアップ３０が、上記光ディスの半径方向（図中に矢印で示す）に自在に移動可能に取り付けられている。また、図中の符号２３は、上記筐体１０の前面の開口部１２を覆う、所謂、フロントベセルを示している。
【００２０】
一方、上記筐体１０側には、上記トレイ２０をその内部に収納可能な空間が形成されると共に、この収納空間の周囲には、例えば、上記トレイ２０側に配置した光ピックアップ３０により検出されて電気信号に変換された各種の信号を処理するための、所謂、処理回路基板４０が搭載されている。更に、この筐体１０の裏面側には、この光ディスク装置を外部の装置、例えば、パーソナルコンピュータ等に接続するためのインターフェース４１を備えており、もって、上記光ピックアップ３０により光ディスクから検出して上記処理回路基板４０によって処理した信号（情報）を外部へ伝送し、又は、外部から伝送される信号（情報）を光ディスクへ書き込む。
【００２１】
そして、上述したような構造になる、携帯型の小型で軽量な光ディスク装置では、上記筐体１０に対して摺動可能で挿入／排出が可能で、かつ、その一部には上記のディスクモータや上記光ピックアップ３０などを搭載しているトレイ２０と筐体１０との間の電気的な接続を実現することを目的として、所謂、「Ｕ」字状のフレキと呼ばれる可撓性の配線基板シート（ＦＰＣ）１００を用いる。すなわち、図にも示すように、上記「Ｕ」字状のフレキ１００の一方の端部を上記処理回路基板４０に形成した端子接続部４２に接続し、その下面を接着剤などにより上記筐体１０を構成するボトムカバー１の内面に付着されて固定されている。
【００２２】
そして、上述した「Ｕ」字状のフレキ１００の他方は、その下面を固定することなく反対方向へ湾曲され、かつ、その端部を、上記トレイ２０側に設けられた図示しない端子接続部へ接続している。即ち、この「Ｕ」字状のフレキ１００は、図中に破線で示すように、上記トレイ２０の挿入／排出に伴う位置に応じてその湾曲部１１０の位置を移動することにより、相互の位置が変化する上記筐体１０と上記トレイ２０との間の電気的な接続を確保するものである。
【００２３】
次に、添付の図２には、上記にその全体構造を示した光ディスク装置における、特に、上記トレイ２０を、その下方から見た場合の斜視図を示している。なお、この図でも、上記トレイ２０は、その内部構造を示すため、その下面に取り付けられた金属製のアンダーカバー２５を取り外した状態で示されている。
【００２４】
この図２にも明らかなように、上記トレイ２０の略中央には、上述したように、搭載した光ディスクを回転駆動するためのディスクモータ５０が配置されており、更には、上記した光ピックアップ３０を光ディスクの半径方向に自在に移動するための送り機構が搭載されている。なお、この図では、この光ピックアップ３０の送り機構の一部を構成するスライドシャフト３３の一方が示されているが、しかしならが、この送り機構、これだけではなく、例えば、上記光ピックアップ３０に移動する力を発生するためのモータやそのための制御装置（モータ駆動用基板３５、図３を参照）等が含まれていることは言うまでもなかろう。
【００２５】
そして、この図２に示すトレイ２０の構造においても、上記トレイ２０に対してその位置が自在に移動可能な上記光ピックアップ３０との間での電気的な接続を実現するため、やはり、略「Ｕ」字状のフレキと呼ばれる可撓性の配線基板シート（ＦＰＣ）２００を用いる。すなわち、図にも示すように、上記「Ｕ」字状のフレキ２００の一方の端部を上記トレイ２０に形成した図示しない端子接続部に接続し、その下面を接着剤などにより上記トレイ２０の裏面に付着されて固定されると共に、その他方は、その下面を固定することなく反対方向へ湾曲され、かつ、その端部を、上記上記光ピックアップ３０側に設けられた図示しない端子接続部へ接続している。即ち、この「Ｕ」字状のフレキ２００は、図中に破線で示すように、上記光ピックアップ３０の移動する位置に応じてその湾曲部２１０を移動することにより、相互の位置が変化する上記光ピックアップ３０と上記トレイ２０との間の電気的な接続を確保するものである。
【００２６】
なお、上述したような携帯型の小型で軽量な光ディスク装置は、例えば、添付の図４にも示すように、携帯型のパーソナルコンピュータ等に代表される携帯型の情報処理装置５００の一部（外部）に取り付けられ、又は、その内部に内蔵され（図では、内蔵された光ディスク装置が、その筐体１０及びベセル２３により示されている）、もって、その情報記録／再生装置として利用される。そして、その使用形態において、例えば、携帯電話等の電波を発信する機器に近接して使用されることも多く、その場合、当該携帯電話等から発信される９４０ＭＨｚや１．４４ＧＨｚの電波（電磁波）は、そのベセル２３を透過して光ディスク装置の内部に入り込み、妨害電波となる。即ち、これが装置内の配線に混入した場合には、例えば、リードエラーやシークエラー等の異常動作を引き起こす原因ともなる。
【００２７】
ところで、上述したような携帯型の小型で軽量な光ディスク装置では、上述した妨害電波（電磁波）は、添付の図３にも示すように、方向性を有している。そこで、例えば、携帯電話のような電波発生器を、上記光ディスク装置の開口部（フロントベセル）２３に近づけ、すなわち、光ディスク装置に対してほぼ垂直方向の電波が入射された場合には、その多くの部分は、上記光ディスク装置の外形を構成する筐体１０を構成するボトムカバー１１とトップカバー１１’の内面において反射される。しかしながら、この反射によって電磁波が消滅するものではなく、その進行方向を変えるだけである。また、光ディスク装置の筐体１０は、一般的に、鉄又はアルミニウム等の金属で出来ているため、入射された電波の周波数によっては筐体で反射され共振を起こし、電波強度を増幅してしまう。
【００２８】
そして、この共振現象（ノイズ共鳴）によるノイズの混入は、上記可撓性を備えた配線シートで著しく、特に、その湾曲部において著しいことは、上述の通りである。すなわち、上記した筐体１０側「Ｕ」字状のフレキ１００では、その湾曲部１１０の位置において、そして、上記したトレイ２０側の「Ｕ」字状のフレキ２００でも、やはり、その湾曲部２１０の位置において著しい。なお、かかる現象は、配線シートであるフレキの湾曲部においては、その配線の方向が、上記電波の共振方向と一致していることに原因するためと思われる。
【００２９】
そこで、本発明では、上述の問題点、即ち、携帯電話等により発信される電波（電磁波）の光ディスク装置内部への込入により生じるリードエラーやシークエラー等の異常動作を防止するため、その配線方向が装置の筐体内部において共振する方向と一致することとなる部分、即ち、上記筐体１０側の「Ｕ」字状のフレキ１００の湾曲部１１０、更には、上記トレイ２０側の「Ｕ」字状のフレキ２００の湾曲部２１０に近接して、それぞれ、電波（電磁波）の共振を低減するため、電磁波の吸収部材を配置するものである。
【００３０】
なお、ここで、電磁波の吸収部材の一例として、例えば、銅などの金属箔をポリエステル等のシート状部材に張り付けたものである。そして、この電磁波の吸収部材であるシートを、その湾曲部を覆う程度の大きさ切り出し、接着材などを利用して付着して固定する。より具体的には、上記筐体１０側の「Ｕ」字状のフレキ１００の場合には、上記図１において符号３００で示すように、トレイ２０が筐体１０の内部に挿入された状態において当該湾曲部１１０が位置する部分に電磁波の吸収シートを取り付ける。
【００３１】
これは、通常、光ディスク装置では、トレイ２０が筐体１０の内部に挿入された状態においてのみその記録／再生動作を行なうことから、その状態において湾曲部１１０が生じる「Ｕ」字状のフレキ１００の位置にのみ吸収シート３００を配置すれば足ることによる。また、この図１の例では、上記筐体１０を構成するボトムカバー１１とトップカバー１１’のうち、ボトムカバー１１の内面側にだけ上記吸収シート３００を設けた例を示したが、しかしながら、本発明ではこれにのみ限定されることはない。即ち、反対側のトップカバー１１’の内面側にも取り付けてもよく、この場合には、その取り付けによるコストが増大するものの、むしろ、より大きな電磁波の吸収効果が期待できる。
【００３２】
また、上記図２に示したトレイ２０側に上記の電磁波の吸収部材であるシートを取り付ける場合には、やはり、電磁波の吸収部材であるシートを、上記光ピックアップ３０とトレイ２０との間に設けられた「Ｕ」字状のフレキ２００の湾曲部２１０を覆う程度の大きさ切り出し、接着材などを利用して付着して固定する。より具体的には、上記図２において符号４００で示すように、上記光ピックアップ３０が移動する全ての範囲、即ち、最外周から最内周まで移動した場合に移動する当該湾曲部２１０を十分に覆うように電磁波の吸収シートを取り付ける。これは、通常、光ディスク装置では、その記録／再生動作を行なう動作時には、上記光ピックアップ３０は常に光ディスクの半径方向に自在に移動していることによる。また、この図２の例では、上記電磁波吸収シート４００は、上記「Ｕ」字状のフレキ２００を取り付けた後の上記トレイ２０の下部に取り付けられるアンダーカバー２５の内面に取り付けられる。
【図面の簡単な説明】
【００３３】
【図１】本発明の一実施の形態になる光ディスク装置の全体構成を示すための上方から見た斜視図である。
【図２】上記本発明になる光ディスク装置における、特に、トレイ部分の構成を示す下方からの斜視図である。
【図３】上記本発明になる光ディスク装置における妨害電波（電磁波）の挙動を説明するための図である。
【図４】上記本発明になる光ディスク装置を携帯用情報処理装置であるノート型のパーソナルコンピュータに内蔵した例を示す図である。
【符号の説明】
【００３４】
１０…筐体
１２…開口部
２０…トレイ
２２…ターンテーブル
２３…フロントベゼル
３０…ディスクモータ
４０…処理回路基板
１００、２００…「Ｕ」字状フレキ（ＦＰＣ）
１１０、２１０…湾曲部
３００、４００…電磁波吸収シート。
【図１】
2005108369.tif 000003
【図２】
2005108369.tif 000004
【図３】
2005108369.tif 000005
【図４】
2005108369.tif 000006